(57)【要約】【課題】  より省スペースでケーブリングの手間を省くことができる監視カメラシステムを提供する。【解決手段】  単一のコンポーネントによって構成され、かつ、十分な録画機能を備えた監視システム用一体型録画・モニタ装置を提供する。当該監視システム用一体型録画・モニタ装置を実現する液晶ディスプレイ１０は前面に液晶パネル１２０、スイッチパネル１１０を備える。また、液晶ディスプレイ１０の側面には、アラームセンサとの接続を行うアラームセンサ接続コネクタ１３１、後述する通信ネットワーク３０との接続を行う通信ネットワーク接続コネクタ１３２、マイクとの接続を行うマイク接続コネクタ１３３、カメラとの接続を行うカメラ接続コネクタ１３４、カメラからの画像をループバックするループバックコネクタ１３５、電源ケーブルの接続を行う電源コネクタ１３６とを含むコネクタパネル１３０を備える。【選択図】        図１
2007060363.tif 000002
【特許請求の範囲】
【請求項１】
カメラからの画像データを受信する画像データ受信手段と、
受信した前記画像データを記憶部に記憶する画像データ記憶手段と、
受信した前記画像データを表示する画像データ表示手段と、
を備えた一体型録画・モニタ装置。
【請求項２】
請求項１に記載の一体型録画・モニタ装置であって、
受信した前記画像データを圧縮する画像データ圧縮手段を備えた一体型録画・モニタ装置。
【請求項３】
請求項１または請求項２に記載の一体型録画・モニタ装置であって、
前記一体型録画・モニタ装置は、通信制御手段を介して、通信ネットワークに接続されており、
前記通信ネットワークを介して外部の情報処理装置から受信した画像データ送信依頼信号に基づいて、所定の画像データを前記記憶部から読み出して前記情報処理装置に送信する一体型録画・モニタ装置。
【請求項４】
請求項１から請求項３のいずれかに記載の一体型録画・モニタ装置であって、
スイッチパネルボードとメインボードとをそれぞれ別の回路基板として含む一体型録画・モニタ装置。
【請求項５】
請求項１から請求項４のいずれかに記載の一体型録画・モニタ装置であって、
当該一体型録画・モニタ装置は、カメラを接続するための無線接続手段を備える一体型録画・モニタ装置。
【請求項６】
請求項１から請求項５のいずれかに記載の一体型録画・モニタ装置であって、
前記一体型録画・モニタ装置のモニタ画面が１５インチであり、かつ、当該モニタ画面を含む筐体面の面積が当該モニタ画面の面積の１０５％以上、１１５％以下である一体型録画・モニタ装置。
【請求項７】
請求項１から請求項６のいずれかに記載の一体型録画・モニタ装置であって、
液晶表示部を含んで構成される一体型録画・モニタ装置。
【請求項８】
請求項１から請求項７のいずれかに記載の一体型録画・モニタ装置であって、
リモートコントローラからの制御信号を受信する制御信号受信手段を含む一体型録画・モニタ装置。
【請求項９】
請求項１から請求項８のいずれかに記載の一体型録画・モニタ装置であって、
前記画像データ表示手段は、所定の設定を受け付けることにより、所定の時間経過後に表示部の表示を消灯する一体型録画・モニタ装置。
【発明の詳細な説明】
【技術分野】
【０００１】
本発明は、監視カメラシステム用一体型録画・モニタ装置に関する。
【背景技術】
【０００２】
従来、マンション、店舗、オフィス等の監視カメラシステム用のモニタ装置として、ＣＲＴが使用されてきた。近年、液晶モニタの低価格化により、省スペース、低消費電力の液晶モニタを監視カメラシステム用モニタ装置として使用することも現実的な選択肢となっている。
【０００３】
一方、監視カメラシステム本体の録画機能を提供する機器は従来のタイムラピスビデオや、それに代わるものとしてハードディスクにデジタル画像を録画するデジタルレコーダも提案されている。
【０００４】
しかしながら、監視カメラシステムを構成するコンポーネント自体が変化したわけではなく、レコーダ本体とモニタをそれぞれ電源に接続し、監視カメラからのケーブルをレコーダ本体に接続し、さらにこれらの機器を互いにケーブリングする必要がある。
【０００５】
ここで、このような監視カメラシステムとは異なるが類似の技術として、モニタテレビと、ビデオメモリと、録画機能とを備えたワイヤレス携帯情報端末機が開示されている（特許文献１）。
【０００６】
特許文献１で開示された技術は、携帯電話やＰＨＳ、ＰＤＡといった、カメラを備えた携帯情報機器を監視カメラとして使用し、人体検知センサーが人の接近を検出した場合に、カメラで撮影した画像を録画するものである。
【０００７】
しかしながら、特許文献１において、これらのワイヤレス携帯情報端末機は、あくまで一時的に短時間の録画を行った画像を予め登録された相手先に送信するものである。
【特許文献１】特開２００１−３６８７９号公報
【発明の開示】
【発明が解決しようとする課題】
【０００８】
上述したように、従来の監視カメラシステムは、録画装置本体、モニタ装置が別々のコンポーネントにより構成され、カメラを増設した場合等に各コンポーネントを付け替えることにより様々な拡張が可能となっている。
【０００９】
しかしながら、このような監視カメラシステムを設置する環境は様々であり、例えば、コンビニ店舗のレジ付近など、天井にモニタを設置して少しでも多くの商品陳列や代金決済のスペースを確保したい場合がある。このような省スペースの要請の強い設置環境においては、従来の監視カメラシステムは十分にそのニーズにこたえているとは言いがたい。即ち、拡張性を多少犠牲にしてでもより省スペースでケーブリングの手間を省くことができる監視カメラシステムが求められている。
【００１０】
ところで、本発明が解決しようとする課題は、従来の監視カメラシステムが持つ長時間録画機能は当然確保した上で、より省スペースな監視カメラシステムを提供することであり、特許文献１に開示された技術のように一時的な録画機能を提供するものではないことは言うまでもない。
【００１１】
本発明は、これらの課題を解決するものであり、単一のコンポーネントによって構成され、かつ、十分な録画機能を備えた監視システム用一体型録画・モニタ装置を提供することを目的とする。
【課題を解決するための手段】
【００１２】
本発明は以下のようなものを提供する。
【００１３】
（１）  カメラからの画像データを受信する画像データ受信手段と、
受信した前記画像データを記憶部に記憶する画像データ記憶手段と、
受信した前記画像データを表示する画像データ表示手段と、
を備えた一体型録画・モニタ装置。
【００１４】
（１）の発明によると、一体型録画・モニタ装置自身がカメラからの画像データを受信し、記憶し、表示することができる。このことにより、より省スペースでケーブリングの手間を省くことができる監視カメラシステムを実現することができる。
【００１５】
（２）  （１）に記載の一体型録画・モニタ装置であって、
受信した前記画像データを圧縮する画像データ圧縮手段を備えた一体型録画・モニタ装置。
【００１６】
（２）の発明によると、当該一体型録画・モニタ装置は、受信した画像データを圧縮して記憶することができる。このことにより、ストレージにより多くの画像データを記憶し、より省スペースの一体型録画・モニタ装置を提供することができる。
【００１７】
（３）  （１）または（２）に記載の一体型録画・モニタ装置であって、
前記一体型録画・モニタ装置は、通信制御手段を介して、通信ネットワークに接続されており、
前記通信ネットワークを介して外部の情報処理装置から受信した画像データ送信依頼信号に基づいて、所定の画像データを前記記憶部から読み出して前記情報処理装置に送信する一体型録画・モニタ装置。
【００１８】
（３）の発明によると、当該一体型録画・モニタ装置は、通信ネットワークを介して外部から受信する画像データ送信依頼信号に基づいて、所定の画像データを記憶部から読み出して送信することができる。このことにより、当該一体型録画・モニタ装置は、ストレージサーバとしての機能を備えることができる。
【００１９】
（４）  （１）から（３）のいずれかに記載の一体型録画・モニタ装置であって、
スイッチパネルボードとメインボードとをそれぞれ別の回路基板として含む一体型録画・モニタ装置。
【００２０】
（４）の発明によると、当該一体型録画・モニタ装置は、スイッチパネルボードをメインボードとは別の回路基板として含むため、それぞれのボードを当該一体型録画・モニタ装置の筐体の中に配置する際に、より高い自由度で配置することができる。このことにより、必要な容積をできるだけ増やさずに、これらのボードをＬＣＤボード等の他の回路基板と共に容易に収めることができる。また、メンテナンス時に当該スイッチパネルボードを当該メインボードと独立して交換することができる。さらに、これらの回路基板の設計変更時に、当該スイッチパネルボードと当該メインボードとを別々に変更することができる。
【００２１】
（５）  （１）から（４）のいずれかに記載の一体型録画・モニタ装置であって、
当該一体型録画・モニタ装置は、カメラを接続するための無線接続手段を備える一体型録画・モニタ装置。
【００２２】
（５）の発明によると、当該一体型録画・モニタ装置は、カメラを直接接続することができる無線接続手段を備えているために、カメラを接続する際にケーブル等を接続する必要がない。このことにより、ケーブリングの手間を省き、よりシンプルな接続構成を実現することができる。
【００２３】
（６）  （１）から（５）のいずれかに記載の一体型録画・モニタ装置であって、
前記一体型録画・モニタ装置のモニタ画面が１５インチであり、かつ、当該モニタ画面を含む筐体面の面積が当該モニタ画面の面積の１０５％以上、１２５％以下である一体型録画・モニタ装置。
【００２４】
（６）の発明によると、当該一体型録画・モニタ装置のモニタ画面が１５インチの場合、一体型録画・モニタ装置であるにもかかわらず、当該表示画面を含む面の面積が当該モニタ画面の面積の１０５％以上、１１５％以下である一体型録画・モニタ装置を提供することができる。
【００２５】
（７）  （１）から（６）のいずれかに記載の一体型録画・モニタ装置であって、
液晶表示部を含んで構成される一体型録画・モニタ装置。
【００２６】
（７）の発明によると、液晶表示部を含む一体型録画・モニタ装置を提供することができる。このことにより、より省スペースで、かつ、消費電力の少ない監視カメラシステムを実現することができる。
【００２７】
（８）  （１）から（７）のいずれかに記載の一体型録画・モニタ装置であって、
リモートコントローラからの制御信号を受信する制御信号受信手段を含む一体型録画・モニタ装置。
【００２８】
（８）の発明によると、リモートコントローラにより操作が可能な一体型録画・モニタ装置を提供することができる。
【００２９】
（９）  （１）から（８）のいずれかに記載の一体型録画・モニタ装置であって、
前記画像データ表示手段は、所定の設定を受け付けることにより、所定の時間経過後に表示部の表示を消灯する一体型録画・モニタ装置。
【００３０】
（８）の発明によると、所定の時間経過後に表示部の表示を消灯することにより、電力の消費を抑えることが可能な一体型録画・モニタ装置を提供することができる。
【発明の効果】
【００３１】
本発明によれば、一体型録画・モニタ装置自身がカメラからの画像データを受信し、記憶し、表示することができる。このことにより、より省スペースで、かつ、よりケーブリングの手間の少ない監視カメラシステムを実現することができる。
【発明を実施するための最良の形態】
【００３２】
本発明に係る好適な実施形態の一例について、図面に基づいて以下に説明する。
【実施例】
【００３３】
［監視カメラシステム１の構成］
【００３４】
図１は、本発明の好適な実施形態の一例に係る監視カメラシステム１の構成を示すブロック図である。監視カメラシステム１を構成する液晶ディスプレイ１０はカメラ２０ａ〜２０ｄとケーブルで接続されている。また、同様に、液晶ディスプレイ１０は、マイク２１ａ〜２１ｄとケーブルで接続されている。また液晶ディスプレイ１０は、アラームセンサ２２ａ〜２２ｄとケーブルで接続されている。また、液晶ディスプレイ１０は前面に録画・再生や画面の切り替え、スクリーンセーバーの設定等の操作を受け付けるための各種スイッチ群で構成されるスイッチパネル１１０を備えている。また、これらの操作を、リモートコントローラを通じて受け付けるためのリモートコントローラ信号受信部を備えている。
【００３５】
なお、この実施形態においては、液晶ディスプレイ１０により監視カメラシステム１を構成しているが、他のディスプレイデバイスを用いてもよい。現時点では、プラズマディスプレイパネル、有機ＥＬディスプレイパネル、ＣＲＴディスプレイ等が使用可能である。
【００３６】
また、本実施形態においては、カメラ２０ａ〜２０ｄの４台のカメラを接続しているが、本発明の技術的範囲はこれに限定されるものではない。マイク２１ａ〜２１ｄやアラームセンサ２２ａ〜２２ｄについても同様である。
【００３７】
また、本実施形態においては、液晶ディスプレイ１０は全面にスイッチパネル１１０を備えているが、側面や背面等に備えてもよい。
【００３８】
また、本実施形態においてはスタンド型マイク２１ｂ、２１ｄ、及び、クリップ型マイク２１ａ、２１ｃを備えているが、液晶ディスプレイ１０に接続可能なものであれば、他の形態のマイクも使用可能である。
［液晶ディスプレイ１０の構成］
【００３９】
図２は、本発明の好適な実施形態の一例に係る液晶ディスプレイ１０の構成を示すブロック図である。液晶ディスプレイ１０は前面に液晶パネル１２０、スイッチパネル１１０を備える。また、液晶ディスプレイ１０の側面には、アラームセンサとの接続を行うアラームセンサ接続コネクタ１３１、後述する通信ネットワーク３０との接続を行う通信ネットワーク接続コネクタ１３２、マイクとの接続を行うマイク接続コネクタ１３３、カメラとの接続を行うカメラ接続コネクタ１３４、カメラからの画像をループバックするループバックコネクタ１３５、電源ケーブルの接続を行う電源コネクタ１３６を含むコネクタパネル１３０を備える。
【００４０】
なお、本実施形態においては、液晶ディスプレイ１０の側面にコネクタパネル１３０を備えているが、前面、背面、下面、上面等、いずれに配置してもよい。
［監視カメラシステム２の構成］
【００４１】
図３は、本発明の好適な実施形態の別の一例に係る監視カメラシステム２の構成を示すブロック図である。監視カメラシステム２を構成する液晶ディスプレイ１０はカメラ２０ａ〜２０ｄと無線ネットワークで接続されている。液晶ディスプレイ１０はカメラ２０ａ〜２０ｄと無線通信を行うためのアンテナ部１１を備えている。また、カメラ２０ａ〜２０ｄはそれぞれ、液晶ディスプレイ１０と無線通信を行うためのアンテナ部２３ａ〜２３ｄを備えている。また、液晶ディスプレイ１０は、マイク２１ａ〜２１ｄとケーブルで接続されている。液晶ディスプレイ１０は前面にスイッチパネル部１１０を備えている。
【００４２】
また、本実施形態においては、液晶ディスプレイ１０は、４つのカメラ２０ａ〜２０ｄのアンテナ部２３ａ〜２３ｄと通信する１つのアンテナ部１１を備えているが、４つのアンテナ部２３ａ〜２３ｄにそれぞれ対応する４つのアンテナ部（図示しない）を備えてもよい。
［液晶ディスプレイ１０のボード配置］
【００４３】
図４は、本発明に係る液晶ディスプレイ１０のボード配置を示すブロック図である。スイッチパネルボード１６０は、メインボード１５０とは別の回路基板として構成されている。スイッチパネルボード１６０は、スイッチパネル１１０の制御を行う。また、図４に示すようにＬＣＤボード１４０を囲むように、メインボード１５０、スイッチパネルボード１６０、コネクタパネルボード１７０、ＨＤＤ１８０がそれぞれ配置されている。
【００４４】
本実施形態においては、図４に示すように、各回路基板を配置しているか、他の配置により実現してもよい。また、コネクタパネルボード１７０は、メインボード１５０あるいスイッチパネルボード１６０と一体として構成してもよい。
［メインボード１５０の構成］
【００４５】
図５は、本発明に係る液晶ディスプレイ１０のメインボード１５０の構成を示すブロック図である。制御部１５１、記憶部１５２、データ圧縮部１５３がバス１５４を介して接続されている。制御部１５１は液晶ディスプレイ１０の全体を制御し、記憶部１５２に記憶されたプログラムを読み出して実行することにより、各種機能を実現している。
【００４６】
なお、記憶部１５２は、プログラムの実行に使用するローカルメモリ、大容量のバルクメモリ、および当該バルクメモリの検索を効率的に行うために使用するキャッシュメモリを含んでよい。記憶部１５２を実現するコンピュータ可読媒体としては、電気的、磁気的、光学的、電磁的に実現するものを含んでよい。より具体的には、半導体記憶装置、磁気テープ、フレキシブルディスク、ランダム・アクセス・メモリ（ＲＡＭ）、リードオンリー・メモリ（ＲＯＭ）、ＣＤ−ＲＯＭとＣＤ−Ｒ／ＷとＤＶＤとを含む光ディスクが含まれる。
【００４７】
なお、データ圧縮部１５３はＭＰＥＧ−４等の様々な圧縮技術により実現できる。
［通信ネットワークを伴う構成］
【００４８】
図６は、本発明の好適な実施形態の別の一例に係る監視カメラシステム２の構成を示すブロック図である。上述の監視カメラシステム１の構成に加えて、通信ネットワーク３０を介して、情報処理装置４０ａ〜４０ｃが接続されている。
【００４９】
ここで、通信ネットワーク３０は、専用線、モデムやターミナルアダプタを介して接続するダイヤルアップネットワーク、ＡＤＳＬ、光ケーブルによるものを含む有線によるネットワークにより実現してもよい。また、無線ＬＡＮ、携帯電話等の携帯端末向け無線ネットワークを含む無線によるネットワークにより実現してもよい。さらに、液晶ディスプレイ１０と情報処理装置４０ａ〜４０ｃの間の通信経路においてこれらのネットワークを組み合せることによって実現してもよい。
【００５０】
また、通信ネットワーク３０を実現するための通信プロトコルとしては、ＴＣＰ／ＩＰ等のインターネットプロトコルをはじめとして、本発明を実施するために必要な情報通信を実現する様々な通信プロトコルが採用されてよい。さらに、ＳＯＡＰ（Ｓｉｍｐｌｅ  Ｏｂｊｅｃｔ  Ａｃｃｅｓｓ  Ｐｒｏｔｏｃｏｌ）等のＷｅｂサービス用のプロトコルを用いて実現してもよい。
【００５１】
なお、情報処理装置４０ａ〜４０ｃは、パーソナルコンピュータ、ノートＰＣ、サーバ、携帯電話、ＰＤＡ等、液晶ディスプレイ１０と通信可能な様々な機器によって実現してよい。また、情報処理装置の数も３台に限定されるものではない。
【００５２】
図７は、本発明の好適な実施例の一例に係る液晶ディスプレイ１０が行う録音・録画・表示処理を示すフローチャートである。
【００５３】
まず、制御部１５１は、監視カメラ２０ａ〜２０ｄからの画像データ及びマイク２１ａ〜２１ｄからの音声データを、コネクタパネルボード１７０を介して受信する（ステップＳ１０１）。
【００５４】
次に、制御部１５１は、受信した当該画像データを、データ圧縮部１５３により圧縮する（ステップＳ１０２）。
【００５５】
次に、制御部１５１は、圧縮した当該画像データ及び当該音声データをＨＤＤ１８０に記憶（ステップＳ１０３）しつつ、液晶パネル１２０に表示する（ステップＳ１０４）。
【００５６】
このように、制御部１５１は、スイッチパネルボード１６０等を介して、終了信号を受信するまで、ステップＳ１０１からステップＳ１０４の処理を繰り返し実行する（ステップＳ１０５）。
【００５７】
図８は、本発明の好適な実施例の一例に係る液晶ディスプレイ１０が行う音声・画像データ配信処理を示すフローチャートである。
【００５８】
まず、制御部１５１は、通信ネットワーク３０を介して、情報処理装置４０ａ〜４０ｃから画像データの配信リクエストを表す配信リクエスト信号を受信した場合（ステップＳ２０１）に、当該配信リクエスト信号に基づいて、所定の音声・画像データをＨＤＤ１８０から読み出す（ステップＳ２０２）。
【００５９】
次に、制御部１５１は、読み出した前記音声・画像データを、通信ネットワーク３０を介して、情報処理装置４０ａ〜４０ｃに送信する（ステップＳ２０３）。
【００６０】
以上、本発明の実施形態について説明したが、本発明は上述した実施形態に限るものではない。本発明の技術的思想を逸脱しない範囲で、上述した実施形態以外の様々な実施形態が本発明の技術的範囲に含まれる。
【図面の簡単な説明】
【００６１】
【図１】本発明の好適な実施形態の一例に係る監視カメラシステム１の構成を示すブロック図である。
【図２】本発明の好適な実施形態の一例に係る液晶ディスプレイ１０の構成を示すブロック図である。
【図３】本発明の好適な実施形態の別の一例に係る監視カメラシステム２の構成を示すブロック図である。
【図４】本発明の好適な実施例の一例に係る本発明に係る液晶ディスプレイ１０のボード配置を示すブロック図である。
【図５】本発明に係る液晶ディスプレイ１０メインボード１５０の構成を示すブロック図である。
【図６】本発明の好適な実施形態の別の一例に係る監視カメラシステム２の構成を示すブロック図である。
【図７】本発明の好適な実施例の一例に係る液晶ディスプレイ１０が行う録音・録画・表示処理を示すフローチャートである。
【図８】本発明の好適な実施例の一例に係る液晶ディスプレイ１０が行う音声・画像データ配信処理を示すフローチャートである。
【符号の説明】
【００６２】
１      監視カメラシステム
１０    液晶ディスプレイ
１１    アンテナ部
２０ａ、２０ｂ、２０ｃ、２０ｄ  監視カメラ
２１ａ、２１ｃ  クリップ型マイク
２１ｂ、２１ｄ  スタンド型マイク
２２ａ、２２ｂ、２２ｃ、２２ｄ  アラームセンサ
２３ａ、２３ｂ、２３ｃ、２３ｄ  アンテナ部
３０    通信ネットワーク
４０ａ、４０ｂ、４０ｃ  情報処理装置
１１０  スイッチパネル部
１２０  液晶パネル  
１３０  コネクタパネル
１３１  アラームセンサ接続コネクタ
１３２  通信ネットワーク接続コネクタ
１３３  マイク接続コネクタ
１３４  カメラ接続コネクタ
１３５  ループバックコネクタ
１３６  電源コネクタ
１４０  ＬＣＤボード
１５０  メインボード
１５１  制御部
１５２  記憶部
１５３  データ圧縮部
１５４  バス
１６０  スイッチパネルボード
１７０  コネクタパネルボード
１８０  ＨＤＤ
【図１】
2007060363.tif 000003
【図２】
2007060363.tif 000004
【図３】
2007060363.tif 000005
【図４】
2007060363.tif 000006
【図５】
2007060363.tif 000007
【図６】
2007060363.tif 000008
【図７】
2007060363.tif 000009
【図８】
2007060363.tif 000010